(57)【要約】【課題】  家庭内等でバランス感覚の鍛錬やストレッチ運動の身体の鍛錬に用いることができ、且つ、デザイン性に優れて肌触りもよく、家庭用でインテリア又はその他の目的で用いることのできる家庭用身体鍛錬器具を提供する。【解決手段】  ポリ塩化ビニルとポリウレタンとの混合樹脂製で空気を充填して使用するドーナツ型で中空の弾性エアクッション２と、当該弾性エアクッション２の表面を被覆した布材３とからなるとともに、前記被覆した布材３の下面側を開口して形成し、当該開口部３ｃから前記弾性エアクッション２の下面側の一部が露出している。【選択図】図３
0003181901.tif 000002
【実用新案登録請求の範囲】
【請求項１】
空気を充填して使用するドーナツ型で中空の弾性エアクッションと、当該弾性エアクッションの表面を被覆した布材とからなることを特徴とする家庭用身体鍛錬器具。
【請求項２】
前記被覆した布材の下面側を開口して形成し、当該開口部から前記弾性エアクッションの下面側の一部が露出していることを特徴とする家庭用身体鍛錬器具。
【考案の詳細な説明】
【技術分野】
【０００１】
本考案は、家庭内でバランス感覚の鍛錬やストレッチ運動の身体の鍛錬に用いることができ、且つ、デザイン性に優れ、家庭用でインテリア又はその他の目的で用いることのできる家庭用身体鍛錬器具に関する。
【背景技術】
【０００２】
従来、ポリ塩化ビニール製の浮き輪型ボールにエアを充填し、当該浮き輪型ボールの表面に座ってストレッチ運動や筋力の強化等を行うことのできる浮き輪型構造のバランスボールが提供されている（特許文献１）。
【先行技術文献】
【特許文献】
【０００３】
【特許文献１】実用新案登録第３１２２９５７号公報
【考案の概要】
【考案が解決しようとする課題】
【０００４】
しかしながら、特許文献１に記載のバランスボールは、あくまでもトレーニング器具としてのデザイン性しかなく、フィットネスクラブでの使用や、家庭内での使用でもバランス感覚の鍛錬やストレッチ運動等の身体の鍛錬を目的とした使用等、その使用態様が限定されていた。
【０００５】
また、当該バランスボールでは、ポリ塩化ビニールを素材とする浮き輪型ボールが完全に露出した状態で形成されているため、使用者にとって肌触りが悪いことから使用感が悪く、また、外観上の美観性を欠くことから家庭内の部屋等にそのまま置くには屋内装飾を害する。そのため、使用者が身体の鍛錬以外の目的で当該バランスボールを使用することはなく、矢張りその使用態様が限られてしまうという問題があった。
【０００６】
そこで、本考案は、家庭内等でバランス感覚の鍛錬やストレッチ運動の身体の鍛錬に用いることができ、且つ、デザイン性に優れて肌触りもよく、家庭用でインテリア又はその他の目的で用いることのできる家庭用身体鍛錬器具を提供することを課題とした。
【課題を解決するための手段】
【０００７】
上記課題を解決するために、本考案は次のように構成した。すなわち、本考案に係る請求項１に記載の家庭用身体鍛錬器具は、空気を充填して使用するドーナツ型で中空の弾性エアクッションと、当該弾性エアクッションの表面を被覆した布材とからなることを特徴としている。
【０００８】
また、請求項２に記載の家庭用身体鍛錬器具は、前記被覆した布材の下面側を開口して形成し、当該開口部から前記弾性エアクッションの下面側の一部が露出していることを特徴としている。
【０００９】
なお、本考案に係る家庭用身体鍛錬器具の「家庭用」とは、主として家庭内で用いられることを意味するのであり、家庭内だけでの使用に限定されるものではなく、その他の使用場所（例えば、フィットネスクラブ等）での使用を制限するものではない。
【考案の効果】
【００１０】
本考案に係る請求項１に記載の家庭用身体鍛錬器具によれば、バランス感覚の鍛錬やストレッチ運動等の身体の鍛錬を家庭内で行うことができるだけでなく、ドーナツ型の弾性エアクッションに布材を被覆し、当該布材のデザインに屋内装飾との統一感を持たせ、肌触りの良い材質の布材とすることによって部屋のインテリアとしても使用でき、また、一般的な所謂クッションとしても使用することもできる。
【００１１】
また、請求項２に記載の家庭用身体鍛錬器具によれば、前記布材の下面側が開口し、前記弾性エアクッションが下面側に露出していることにより、使用者が当該家庭用身体鍛錬器具の上面に座る等して加重した際に、当該弾性エアクッションが使用者の重みで沈み込むのに伴い、当該弾性エアクッションの下面側の露出箇所が床面と当接し、当該弾性エアクッションと床面との摩擦力により弾性エアクッションの位置が安定するため、より安全に身体の鍛錬を行うことができる。
【図面の簡単な説明】
【００１２】
【図１】当該家庭用身体鍛錬器具の構造を示す外観斜視図である。
【図２】本考案に係る家庭用身体鍛錬器具を示す外観斜視図である。
【図３】当該家庭用身体鍛錬器具の下面側からみた外観斜視図である。
【図４】当該家庭用身体鍛錬器具の使用状態を示す図である。
【図５】当該家庭用身体鍛錬器具の使用状態を示す図である。
【考案を実施するための形態】
【００１３】
以下、図１乃至図５を用いて、本考案を具体的に説明する。まず、図１は、本考案に係る家庭用身体鍛錬器具１の構造を示す外観斜視図であり、図２は、当該家庭用身体鍛錬器具１を示す外観斜視図であり、図３は、当該家庭用身体鍛錬器具１の下面側からみた外観斜視図である。
【００１４】
図１に示すように、当該家庭用身体鍛錬器具１は、ドーナツ型の弾性エアクッション２と、当該弾性エアクッション２を被覆する布材３とから構成されている。
【００１５】
弾性エアクッション２は、中空のドーナツ型に形成され、図示しない充填孔から内部に空気を充填して使用する。当該弾性エアクッション２は、ポリ塩化ビニル及びポリウレタンからなる混合樹脂を成型することにより形成され、その混合比は、ポリ塩化ビニルが約９７％〜９８％、ポリウレタンが約２％〜３％で計１００％となるように混合される。このように形成した弾性エアクッション２は、所謂バランスボールとしてバランス感覚等の身体の鍛錬ができるのはもとより、ドーナツ型に形成したことによって使用時等に床面等の接地面に安定するため、球形の所謂バランスボールに比べてより安全に当該家庭用身体鍛錬器具１を使用することができる。
【００１６】
また、当該弾性エアクッション２をドーナツ型に形成したことによって、その上面及び下面中央を貫通する中央孔２ａが形成されるため、使用時等の通気性がよく、バランス感覚等の身体の鍛錬を長時間行ったとしても、家庭用身体鍛錬器具１と使用者身体の当接面で蒸れ等が起こりにくく快適に使用することができる。
【００１７】
布材３は、前記弾性エアクッション２の形状に対応する袋状であって、その周面に当該周面と直交するスリットが形成されるとともに、当該スリットに沿ってファスナー３ａを設け、形成されている。当該布材３を前記弾性エアクッション２に被覆するに際しては、当該ファスナー３ａを開いた状態で弾性エアクッション２の上面から当該布材３を被せ、その後ファスナー３を閉じて弾性エアクッション２に被覆する。このように、布材３は、弾性エアクッション２に対して着脱可能に形成されている。
【００１８】
また、当該布材３は、市販されているクッションやソファ等の家具の表面に一般的に用いられる肌触りのよい材質からなり、これにより、単に身体の鍛錬を目的とするだけでなくクッション等としての使用も可能となる。また、図２に示すように、布材３の上面側には、周面の布材３よりも厚手のクッション素材からなる円形の厚手部３ｂが形成されている。これにより、布材３の上面側のクッション性がより増し、使用者の使用時の負担を軽減して長時間の身体の鍛錬が可能となるとともに、当該厚手部３ｂによって使用者に対する肌触りを向上させ、より快適に使用することができるようになる。
【００１９】
一方、当該布材３の下面側は、図３に示すように、円形の開口部３ｃが形成されている。当該開口部３ｃを設けたことにより、前記弾性エアクッション２の下面側が露出し、使用者が当該家庭用身体鍛錬器具１の上面に座る等して加重した際に、当該弾性エアクッション２が使用者の重みで沈み込むのに伴い、当該弾性エアクッション２の下面側の露出部分が床面と当接し、当該弾性エアクッション２と床面との摩擦力により弾性エアクッション２の位置が安定するため、より安全にバランス感覚の鍛錬やストレッチ運動等の身体の鍛錬を行うことができる。
【００２０】
なお、当該厚手部３ｂ又は開口部３ｃの形状は前記円形に限られるものではなく、楕円形やその他多角形に任意に変更してもよい。また、布材３に開口部３ｃを設けずに、布材３で弾性エアクッション２の全体を被覆するように構成してもよい。
【００２１】
図４は、当該家庭用身体鍛錬器具１の使用状態を示す図である。当該家庭用身体鍛錬器具１は、ソファ４と組み合わせて使用者の足置きとして使用されている。この家庭用身体鍛錬器具１に係る布材３は、ソファ４の表面に設けられた布材３と同一素材及び同一色又は統一感のあるデザインで形成されており、ソファ４と同様の肌触りで、且つ、両者で一体感のあるデザインで、部屋のインテリアとして使用することができる。また、ソファ４を除いた家庭用身体鍛錬器具１のみの使用であっても、十分に部屋のインテリアとしての使用が可能であり、また、一般的な所謂クッションとして使用することもできる。
【００２２】
図５も、当該家庭用身体鍛錬器具１の使用状態を示す図である。使用者は、当該家庭用身体鍛錬器具１の上面に着座した上で踵部を床面から上げ、家庭用身体鍛錬器具１と当接する臀部のみで身体のバランスを取るように運動を行うことができる。また、例えば、図示はしないが、使用者が仰向けになって腰部を家庭用身体鍛錬器具２の上面に乗せ、当該腰部を反らせるようにしてストレッチ運動を行うこともでき、その他、柔軟体操又は筋力強化の運動等、種々の運動を行うに際して使用することができる。
【産業上の利用可能性】
【００２３】
本家庭用身体鍛錬器具１は、前記の家庭内での使用以外でも、フィットネスクラブ等、その他の使用場所又は使用目的での使用も可能である。
【００２４】
また、本家庭用身体鍛錬器具１は、着脱可能に形成した布材３を弾性エアクッション２から取り外して交換することにより、種々のデザインの中から部屋のインテリアに合致したデザインの布材３を選択して弾性エアクッション２に被覆することができ、屋内装飾の選択の幅を広げることができる。
【００２５】
また、本家庭用身体鍛錬器具１は、弾性エアクッション２に布材３を着脱可能に被覆したことにより、当該布材３を取り外して洗濯可能であり、当該家庭用身体鍛錬器具１を常に清潔に保つことができる。
【符号の説明】
【００２６】
１    家庭用身体鍛錬器具
２    エアクッション
２ａ  中央孔
３    布材
３ａ  ファスナー
３ｂ  厚手部
３ｃ  開口部
４    ソファ
【図１】
0003181901.tif 000003
【図２】
0003181901.tif 000004
【図３】
0003181901.tif 000005
【図４】
0003181901.tif 000006
【図５】
0003181901.tif 000007
【手続補正書】
【提出日】平成24年12月13日(2012.12.13)
【手続補正１】
【補正対象書類名】実用新案登録請求の範囲
【補正対象項目名】請求項２
【補正方法】変更
【補正の内容】
【請求項２】
前記被覆した布材の下面側を開口して形成し、当該開口部から前記弾性エアクッションの下面側の一部が露出していることを特徴とする請求項１に記載の家庭用身体鍛錬器具。